(57)【要約】【課題】デジタルカメラ等カメラの背面に設けられた液晶モニター画面が太陽光などの反射で眩しく見づらくなるのを防止するとともに、視覚障害者や弱視者でも液晶モニター画面に表示された画像が観察し易いモニター画面観察用ビュアーを提供する。【解決手段】略四角形の開口部を有する筒体の前記開口部と対向する端面に、前記開口部の開口面付近が観察できるようにレンズを取り付けると共に、前記筒体をカメラの三脚用ねじ穴に固定ねじで固定できるようにする。【選択図】 図５
2011142491.tif 000002
【特許請求の範囲】
【請求項１】
略四角形の開口部を有する筒体の前記開口部と対向する端面に、前記開口部の開口面付近が観察できるようにレンズを取り付けると共に、前記筒体をカメラの三脚用ねじ穴に固定ねじで固定できるようにしたことを特徴とするカメラのモニター画面観察用ビュアー。
【請求項２】
上記筒体の開口部の下辺を張り出して張り出し部とし、前記張り出し部に上記固定ねじのねじ部が貫通できる穴を設けたことを特徴とする請求項１に記載のカメラのモニター画面観察用ビュアー
【請求項３】
上記固定ねじのねじ部を差し込んで移動可能な長穴を設けた固定板を前記長穴の長手方向と直角にスライド可能に上記筒体の底部に取り付けたことを特徴とする、請求項１に記載のカメラのモニター画面観察用ビュアー。
【請求項４】
上記固定板に上記筒体を着脱自在に取り付けられるようにしたことを特徴をする請求項１に記載のカメラのモニター画面観察用ビュアー。
【請求項５】
上記筒体を伸縮自在としたことを特徴とする請求項１、請求項２、請求項３及び請求項４に記載のカメラのモニター画面観察用ビュアー。
【発明の詳細な説明】
【技術分野】
【０００１】
本発明はデジタルカメラ等カメラの背面にモニター画面を有するカメラのモニター画面を観察するためのビュアーに関し、詳しくはモニター画面が外部の光により反射して観察しにくくなるのを防ぎ、更に視覚障害者、弱視者等視力の低下した人がデジタルカメラ等カメラのモニター画面をはっきりと観察して写真を撮影することができるようにするためのビュアーに関する。
【背景技術】
【０００２】
従来、デジタルカメラには撮影の際に撮影対象を確認しアングルを決めるためのファインダーとともに、カメラ本体の背面に撮影時に撮影対象を観察したり撮影後に撮影された画像を確認したりするため液晶モニターが取り付けられている。
特に最近では、小型のデジタルカメラにおいては、ファインダーが省かれ、撮影も液晶モニター画面だけで撮影対象を観察しアングルを決めるタイプのものが増えている。
【０００３】
しかしながら、液晶モニターの画面は、例えば晴天の日の屋外などにおいては液晶モニター画面の表面が太陽光を反射してまぶしく、液晶モニターの画面に表示された画像を観察する事が困難な場合がある、これは視覚障害者や弱視者においては特に問題であった。
また、上記液晶モニターの画面は小さいので、視覚障害者や弱視者においては、液晶モニターから顔を離した状態では液晶モニターの画面に表示された画像の詳細を視認することが困難であり特に野外においては太陽光による液晶モニター画面の反射による眩しさと重なって思ったとうりのアングルで撮影することはほとんど不可能であった。
【０００４】
そのため、この問題を解決するために種々な方法が提案され、また実施されている。
【０００５】
例えば、特許文献１にはデジタルカメラの液晶モニター画面の周囲に取り付け枠を接着し、その取り付け枠に着脱自在に遮光フードを取り付ける方法が提案されている。
しかし、この方法では取り付け枠をカメラ本体に接着するため、カメラ本体を傷つけたり、汚したりする恐れがある。
【０００６】
また、特許文献２ではデジタルカメラを入れるカメラケースに撮影レンズ部、液晶モニター部、フラッシュ部、及び各種操作ボタン部に相当する部分を切り欠いて、且つ上記液晶モニター部を切り欠いた窓の周辺に遮光フードを取り付ける方法が提案されている。
【０００７】
しかし、カメラのケースと言うのはカメラが傷ついたり汚れたりするのを防ぐためにあるのもであり、ケースの全面に切り欠きを設けてしまってはケースがカメラを保護する役目を果さなくなる。
また、デジタルカメラの各種操作ボタンは小さくかつカメラのボディからわずかしか突起していないので、ケースに切り欠いた穴から操作ボタンを操作するのは操作しずらいと言う問題があった。
【０００８】
また、視覚障害者や弱視者においては、片手で拡大鏡を持って遮光フードの中の液晶モニターの画面を観察しながら撮影する方法も実施されているが、このような撮影の仕方は非常に不便である。
【先行技術文献】
【特許文献】
【０００９】
【特許文献１】特開２００４−３２２１５
【特許文献２】特開２００８−２１６９４６
【発明の概要】
【発明が解決しようとする課題】
【００１０】
本発明が解決しようとする課題は、デジタルカメラ等カメラの液晶モニター画面が太陽光等の反射で眩しく見づらくなるのを防止するとともに、視覚障害者や弱視者でも液晶モニター画面に表示された画像を観察し易いモニター画面観察用ビュアーを提供することにある。
【課題を解決するための手段】
【００１１】
本発明の第１の解決手段として、略四角形の開口部を有する筒体の前記開口部と対向する端面に、前記開口部の開口面付近が観察できるようにレンズを取り付けると共に、前記筒体をカメラの底部に設けられた三脚用ねじ穴に固定ねじで固定できるようにしたことを特徴とするモニター画面観察用ビュアーを提案する。
【００１２】
また第２の解決手段として、上記筒体の開口部の下辺を張り出して張り出し部とし、前記張り出し部に上記固定ねじのねじ部が貫通できる穴を設けたことを特徴とする上記第１の解決手段に記載のモニター画面観察用ビュアーを提案する。
【００１３】
また、第３の解決手段として、上記固定ねじのねじ部を差し込んで移動可能な長穴を設けた固定板を前記長穴の長手方向と直角にスライド可能に上記筒体の底部に取り付けたことを特徴とする、上記解決手段１に記載のモニター画面観察用ビュアーを提案する。
【００１４】
更に第４の解決手段として、上記固定板に上記筒体を着脱自在に取り付けられるようにしたことを特徴をする上記第１の解決手段に記載のモニター画面観察用ビュアーを提案する。
【００１５】
また更に第５の解決手段として、上記筒体を伸縮自在としたことを特徴とする上記第１、第２、第３及び第４の解決手段に記載載のモニター画面観察用ビュアーを提案するものである。
【発明の効果】
【００１６】
以上のように本発明に係るモニター画面観察用ビュアーによれば、
イ)太陽光などの外光による液晶モニター画面の反射による眩しさを防止できるため野外での直射日光下でも眩しさを感じることなく液晶モニター画面を容易に視認しながら撮影ができる
ロ)視覚障害者や弱視者においては、液晶モニター画面を拡大して観察できるため、画面に表示された画像の細部までを確認して思いどうりの写真を撮影できる。
ハ)本発明のモニター画面観察用ビュアーはデジタルカメラの底部に設けられた三脚用ねじ穴を利用してカメラに固定されるため、取り付ける際にカメラ本体を傷つけたり、汚したりすることがない。
【図面の簡単な説明】
【００１７】
【図１】図１は本発明の実施例１におけるモニター画面観察用ビュアーをカメラに取り付けた状態を示す側面から見た断面図。
【図２】図２は本発明の実施例１の斜視図。
【図３】図３は本発明の実施例１の他の形態を示す斜視図。
【図４】図４は本発明の実施例１の更に他の形態を示す斜視図。
【図５】図５は本発明の実施例１におけるモニター画面観察用ビュアーをカメラに取り付けた状態を示す斜視図。
【図６】図６は本発明の実施例２の側面から見た断面図。
【図７】図７は本発明の実施例２の斜視図。
【図８】図８は本発明の実施例３の斜視図。
【図９】図９は本発明の実施例３の他の形態を示す斜視図。
【図１０】図１０は本発明の実施例４の側面図。
【発明を実施するための形態】
【００１８】
以下、本発明のモニター画面観察用ビュアーの実施形態について図面を参照しながら説明する。
【実施例１】
【００１９】
まず第１の実施の形態を図１〜図５に基づき説明する。第１図は第１の実施例のモニター画面観察用ビュアー１０をカメラ１０００に取り付けた状態をレンズ８０の光軸において側面から見た断面図である。。
【００２０】
本図は、モニター画面観察用ビュアー１０はその開口部３０がカメラ１０００の背面に設けられているモニター画面１００１に合わせて押し付けられて、張り出し部４０に設けられた穴５０に固定ねじ６０を通してカメラ１０００の底部に設けられた三脚用ねじ穴１００２にねじ留めされている状態を示している。
この状態でレンズ８０を通してモニター画面１００１に表示された画像を観察することができる。
【００２１】
図２は本実施例のモニター画面観察用ビュアー１０の斜視図であり、張り出し部４０には丸穴５１が設けられている。
穴５０の形状は丸穴に限らず種々の形状が可能であり、例えば図３においては張り出し部４０にレンス８０の光軸と直角に長手方向を持つ長穴５２が設けられている
このように穴５０をレンズ８０の光軸に直角に長手方向を持つ長穴とすることにより、前記三脚用ねじ穴１００２がカメラ１０００の底部の左右方向の任意の位置に設けられていても長穴５２を通して固定ねじ６０のねじ部７０を前記三脚用ねじ穴１００２に差し込んでねじ留め固定する事ができる。
【００２２】
図４は本実施例のモニター画面観察用ビュアーにおいて筒体２０の開口部３０の左端辺及び右端辺を切り欠き、切り欠き部９１及び切り欠き部９２を形成した形態を示した斜視図である。
【００２３】
このように開口部３０の左右端の辺を切り欠くことにより、モニター画面１００１の左右方向の幅が開口部３０よりも広くてもモニター画面全体が観察できる。
また、モニター画面の横に設けられている各種操作ボタンの操作もし易くなる。
【００２４】
図５は前記切り欠き部９１及び９２を形成した本実施例のモニター可燃観察用ビュア１０をカメラ１０００に取り付けた状態を示す斜視図である。
【実施例２】
【００２５】
次に第２の実施の実施形態を図６及び図７に基づき説明する。
図６は本実施例のモニター画面観察用ビュアーをレンズ８０の光軸において側面から見た断面図であり、図７はその底部から見た斜視図である。
【００２６】
本実施例においては、筒体２０の底部にスライド自在に取り付けられた固定板１００によって前記筒体２０ををカメラ１０００に固定するようになっている。
即ち、固定板１００には長穴５２を設け、更に前記長穴５２に直角な方向に長手方向をもつスライド溝１１０が設けられている。
【００２７】
そして、固定板１００はカメラ１０００の底部に前記ズライド溝１１０の長手方向がレンズ８０の光軸方向と一致するように留めピン１２０によってスライド自在に留められている。
【００２８】
これにより、長穴５２と筒対２０とがレンズ８０の光軸方向に前後移動できるので前記三脚用ねじ穴１００２がカメラ１０００の底部の前後左右の任意の位置に設けられていても、前記モニター画面観察ビュアー１０の前記開口部３０を前記モニター画面１００１に合わせて押し付けた状態でカメラ１０００の底部に設けられた三脚取り付け用ねじ穴１００２に固定ねじ６０を差し込んで固定する事ができる。
【実施例３】
【００２９】
次に、第３の実施例の実施形態を図８及び図９に基づいて説明する。
本実施例においては、前記筒体２０とこの筒体２０をカメラ１０００に固定する部分とが磁石によって着脱自在とすることができる実施形態を示している。
【００３０】
図８においては筒体２０のの開口部３０の下辺に磁石１３０を備え、固定板１０１の長穴５２の長手方向と平行な一端面には前記磁石１３０と対向する位置に磁性体１４０が取り付けられている。
【００３１】
これにより、固定板１０１だけををカメラ１０００の底部に取り付けておけば、筒体２０は必要に応じて磁石１３０を固定板１０１の磁性体１４０に合わせて磁着させておき、不要時には容易に取り外せるので、カメラの携帯時に嵩張らす、携帯に便利である。
【００３２】
図９は本実施例の他の形態である。本図では長穴５２を設けた固定板１０２が磁性体１４０の両端に前記磁性体１４０と直角に取り付けられたレール１５１及びレール１５２の間をスライドするようになっている。
【００３３】
これにより、三脚用ねじ穴１００２がカメラ１０００の底部の前後左右の任意の位置に設けられていても、自由に長穴５２を前記三脚用ねみ穴１００２に合わせて固定ねじ６０で固定することができる。
尚、この着脱方法については磁石以外以外にも種々の方法が考えられる。
【実施例４】
【００３４】
次に第４の実施例に付いて説説明する。
図１０は第４の実施例の側面図である。
この実施形態では筒体２０を蛇腹構造として、筒体２０を伸縮自在ととすることで、カメラ１０００を携帯する際は蛇腹部１６０を縮めて全体をコンパクトにでき、撮影する際に前記蛇腹部１６０を伸ばしてレンズ８０のピントがモニター画面１００１に合うようにして、前記レンズ８０を通して前期モニター画面１００１に表示された画像を観察しながら撮影できる。
【００３５】
尚、本発明に係わるモニター画面観察用ビュアーの実施形態としては上記に記載した実施形態だけに限定されるものではなく種々の形態が考えられ、また上記に記載した各実施形態を相互に組み合わせることも可能である。
【産業上の利用可能性】
【００３６】
本発明のモニター画面観察用ビュアーは視覚障害者や弱視者のみならず、一般の晴眼者が使用すれば、モニター画面に教示された画像のより細部を確認できるので、最近の高級カメラの液晶モニターのようなハイビジョン級の液晶モニターに表示された画像を詳細に観察するためにも利用できる。
【符号の説明】
【００３７】
１０  モニター画面観察用ビュアー
２０  筒体
３０  開口部
４０  張り出し部  
５０  穴
５１  丸穴
５２  長穴
６０  固定ねじ
７０  ねじ部
８０  レンズ
９１  切り欠き部
９２  切り欠き部
１００  固定板
１０１  固定板
１０２  固定板
１１０  スライド溝
１２０  留めピン
１３０  磁石
１４０  磁性体
１５１  レール
１５２  レール
１６０  蛇腹部
１０００  カメラ
１００１  モニター画面
１００２  三脚用ねじ穴  
【図１】
2011142491.tif 000003
【図２】
2011142491.tif 000004
【図３】
2011142491.tif 000005
【図４】
2011142491.tif 000006
【図５】
2011142491.tif 000007
【図６】
2011142491.tif 000008
【図７】
2011142491.tif 000009
【図８】
2011142491.tif 000010
【図９】
2011142491.tif 000011
【図１０】
2011142491.tif 000012